(57)【要約】【課題】不使用時はコンパクトに収納され、着席中に後ろを人が通るときに座をスムーズに前方へ移動できる収納式椅子を提供する。【解決手段】学校の講義室などに設けられる椅子は、不使用時は前傾させるとともに座の後方を上昇させて収納されるようにしている。本発明は、脚を前脚３と後脚４の２本とし、前脚３は使用時にほぼ垂直または前傾状態に連結する。そして、後脚４には背もたれ９を固設するとともに不使用時に座１を上昇させる付勢手段６を備えている。さらに、下端部は軸線より後方へ位置させて脚挫１０に連結した。【選択図】  図１
2004230068.tif 000002
【特許請求の範囲】
【請求項１】
座受けを脚座に連結された前後方向へ所定角度揺動可能な脚で支持し、該脚を前傾させるとともに座の後方を上昇させて収納される収納式椅子において、該脚を前脚と後脚とし、該前脚は使用時にほぼ垂直または前傾状態に連結され、該後脚には背もたれを固設するとともに不使用時に座を上昇させる付勢手段を備え、かつ、脚座とは後脚の軸線より後方の位置で連結したことを特徴とする収納式椅子。
【請求項２】
前記前脚はその下端を後脚の取り付けられた揺動軸より上方に位置させて連結したことを特徴とする請求項１記載の収納式椅子。
【発明の詳細な説明】
【０００１】
【発明の属する技術分野】
本発明は、不使用時は背もたれを前傾させて収納される学校など講義室や会議場に備えられる収納式椅子に関するものである。
【０００２】
【従来の技術】
講義室などで使用される椅子は、並列に配置され、椅子を収納させることによって人が通行できるようにしている。
出願人は先に座と背もたれを分離し不使用時はコンパクトに収納される収納式椅子を開発している（特許文献１。）。
【０００３】
これは、図８に示すように、床に設けた固定部２０に背もたれの固設された背もたれ支持部２１を前後方向へ回動可能に取り付け、上端を座受け２２の前部に連結した主リンク２５を背もたれ支持部２１の下端の回動部に連結し、座受け２２の後部と背もたれ支持部２１の中央部を補助リンク２３で連結している。
【０００４】
これによれば、背もたれ支持部を後方へ回動させると、座がほぼ水平となり腰掛けることができるようになり、前方へ回動させると、座がほぼ垂直状態に折り畳まれ、背もたれの後方に人が通れる空間を形成するようにしている。
また、従来技術の別の形式のものとして、図９に示すように、座と背もたれを一体にした着座部３０を床に固定された支持ブロック２７に、前脚２８と後脚２９で前後方向に揺動可能に支持したものもある（例えば、特許文献２）。
【０００５】
【特許文献１】特許第２９２７７１２号公報。
【特許文献２】特開２００２−２８０４３号公報。
【０００６】
【発明が解決しようとする課題】
特許文献１の収納式椅子は不使用時にはコンパクトに収納され、座の先端側が下方に傾斜しているので着席あるいは離席が容易である。しかし、着席しているときに椅子の後方を人が通る場合は、図８に示すように、着席している人が両手で机に体重を預けるようにして立ち上がり気味に少し腰を浮かせて前傾させなければならない。
【０００７】
一方、特許文献２の収納式椅子では、特許文献１のように腰を浮かせることなく前方へ移動させることができる。しかし、この移動は簡単ではない。すなわち、図９に示すように、使用時には後傾している脚を垂直状態側へ回動させることになり、座が浮き上がるようにして移動させるので、動きづらい。なお、この収納式椅子は座と背もたれが一体であるので、簡素であるが、離着席やその場で起立するときに座の前端が膝後ろに当たり立ちにくいという難点がある。
【０００８】
そこで、本発明は離着席が容易で不使用時はコンパクトに収納され、着席中に後ろを人が通るときは座をスムーズに前方へ移動できる収納式椅子を提供することを目的としている。
【０００９】
【課題を解決するための手段】
上記目的を達成するため、本発明では次の手段を採った。すなわち、
座受けを脚座に連結された前後方向へ所定角度揺動可能な脚で支持し、該脚を前傾させるとともに座の後方を上昇させて収納される収納式椅子において、該脚を前脚と後脚とし、該前脚は使用時にほぼ垂直または前傾状態に連結され、該後脚には背もたれを固設するとともに不使用時に座を上昇させる付勢手段を備え、かつ、脚座とは後脚の軸線より後方の位置で連結したことを特徴としている。
【００１０】
前脚と後脚は平行である必要はない。収納時と使用時には脚座に設けたストッパに当接させて揺動範囲を規制するのが簡便である。
また、座受けに前脚および後脚の上端を連結し、着席中に人が後ろを通るときに、簡便に椅子を前へ移動できるようにするには、椅子の使用時の状態が、前脚がほぼ垂直または前傾しており、後脚も垂直な線に対してあまり後傾していないのが望ましい。
【００１１】
また、収納したときにコンパクトになるだけでなく、使用状態および収納状態においても椅子としての美観を損なわないように配慮することは当然必要であり、後脚の傾斜は背もたれの傾斜にほぼ一致させるのが望ましい。
本発明では後脚の脚座との連結を軸線に対して後方へ移動させたことを特徴としている。したがって、使用時の前脚および後脚は前方へ回動し易く座の前部は若干傾斜するように作用し、座を上昇させる感じはないので、きわめて、スムーズに移動する。
【００１２】
なお、前脚の下端は後脚より必ずしも前方にある必要はなく、例えば請求項２に記載のように、前脚はその下端を後脚の取り付けられた揺動軸より上方に位置させて連結してもよい。
【００１３】
【発明の実施の形態】
以下、本発明の実施の形態を図面に基づいて説明する。
図３は実施の形態の収納式椅子の使用時における全体の外観を示す斜視図であり、図１は側面図、図４は分解斜視図である。
【００１４】
上記の各図に示すように、この収納式椅子は、上面に座１を固設した座受け２が、床にボルトなどで固設された脚座１０に前脚３と後脚４で連結されている。そして、後脚４には背もたれ９が固設された逆Ｕ字状の背支柱８が固設されている。
【００１５】
前脚３の上端は座受け２の前部側に水平方向の軸３ａによって、また、下端は脚座１０に水平方向の軸３ｂによって回動可能に取り付けられ、使用時の状態では、ほぼ垂直ないし若干前傾状態で取り付けられている。
後脚４は、円筒状の脚体に上方へ伸出する支持筒５が摺動可能に内装され、下端には取付部材７が固設されている。そして、上端がピン６ｂで支持筒５に取り付けられ、下端が脚体にピン６ａで取り付けられた付勢手段としてのガススプリング６が設けられている。
【００１６】
後脚４の上端すなわち、支持筒５の上端は座受け２の後部寄りに水平方向の軸５ａによって回動可能に取り付けられ、後脚４の下端、すなわち、取付部材７は脚座１０に水平方向の揺動軸７ａによって回動可能に取り付けられている。
この揺動軸７ａは後脚４の軸線（脚体や支持筒５の中心線）よりかなり後方へずらして位置させており、後脚４の上端を連結している軸５ａと下端の揺動軸７ａを結ぶ直線は、垂直な線に近づいたものとなっている。
【００１７】
すなわち、後脚４は背もたれ９とほぼ同じ傾斜としており、使用時の状態において軸５ａと揺動軸７ａを結ぶ直線は垂直な線に対して小さな角度で後傾した状態としている。
脚座１０は、詳細を図２に示すように、床にボルトで取り付けられ、前脚３の下部と後脚４の下部を収納し椅子の使用時と収納時において前後方向を規制している。
【００１８】
すなわち、脚座１０の前寄りには前脚３が前傾したとき下端部が当接する受け部材１２が固設されており、後部には後脚４の取付部材７の後端の当接部材７ｃが当接するストッパ１１が固設されている。
なお、１３はゴムであり、１４は底板、１０ａはカバー、１５は取付穴である。
【００１９】
次に、このように構成された収納式椅子の作用について説明する。
収納式椅子の不使用時は図５（ａ）に示すように、背もたれ９を前へ倒し、全体として前傾した状態で収納される。この状態では後脚４の支持筒５がガススプリング６に付勢されて上昇し、座受け２は前脚３の上端の軸３ａを支点として回動し、座受け２のストッパ２ａが前脚３の上部前端に当接している。なお、ガススプリング６の付勢力はこの状態においても座受け２を付勢している状態であり、座受け２は後部が大きく上昇した傾斜状態となり、コンパクトに折り畳まれる。
【００２０】
このときの前脚３と後脚４の下端は、図６（ａ）に示すように、前脚３が受け部材１２に当接し、後脚４の取付部材７の下端部７ｂが底板１４に当接している。
収納式椅子に着席する場合は図５（ｂ）に示すように、まず、背もたれ９を後方へ倒す。これにより、前脚３は下部の軸３ｂを支点として後傾し、下端部は図６（ｂ）に示すように、受け部材１２から離れる。また、後脚４は揺動軸７ａを支点として後傾し、下端部は底板１４から離れ、後端の当接部材７ｃが脚座１０のストッパ１１に当接する。
【００２１】
この状態では座１は前下がりに傾斜しており、机との空間が広く着席するために身体を入れやすい状態となっている。
そして、着席した場合は図５（ｃ）に示すように、後脚４の支持筒５が縮小し、座１はほぼ平坦な状態となる。このときの前脚３および後脚４の下端部は図２に示すように、後端の当接部材７ｃが脚座１０のストッパ１１に当接している図６（ｂ）の状態と同じであるが、着席により、前脚３はほぼ垂直状態に位置する。
【００２２】
着席時に後ろを人が通る場合は、図５（ｄ）に示すように、着席している人が腰掛けている状態のまま座１を前方へ移動させる。
この座１の移動は、前脚３が前傾方向であり、後脚４も垂直状態までの回動が僅かで後は前傾する方向であるので、スムーズに移動できる。そして、図６（ｃ）に示すように、前脚３の下端が受け部材１２に係止すると停止する。したがって、着席している人が机に挟まれることはない。
【００２３】
なお、人が通った後は着席している人が後方へ座１を移動させれば、図５（ｃ）の状態に復帰させることができる。すなわち、着席している人が立ったり、腰を浮かせるなどの不自由な態勢を取ることなく、後方を人が通ることができる。
また、着席状態から席を離れるときは、図５（ｃ）の状態から腰を浮かせれば、後脚４が上方へ伸張し、図５（ｂ）の状態になるので、机と座１との間隔が広くなり、したがって、簡便に離席することができる。
【００２４】
なお、上記の実施の形態では、前脚３を脚座１０の前部へ位置させたもので説明したが、前脚３の下端の取付位置は必ずしも後脚４の前方である必要はない。
例えば、図７（ａ）および（ｂ）に示すように、前脚３の下端の軸３ｂは後脚４の下端の揺動軸７ａの上方に設けてもよい。図７（ｂ）は、傾斜した床面や階段状の床面に設置する場合を示したものである。ただし、図７の場合は収納時は前脚３と後脚４が交差するので、例えば、前脚３を間隔をあけて２本設け、後脚４をその間に１本設けるなどして、干渉しないようにする。
【００２５】
【発明の効果】
以上説明したように本発明の収納式椅子は、前脚は使用時にほぼ垂直または前傾状態に連結され、後脚には背もたれを固設するとともに不使用時に座を上昇させる付勢手段を備え、かつ、脚座との連結位置は後脚の軸線方向より後方へ位置させたので、着席および離席し易く、不使用時はコンパクトに収納され、着席時に人が後ろを通るときは、着席者が簡便に座を前方へ移動させることができる。
【図面の簡単な説明】
【図１】本発明の実施の形態である収納式椅子の使用状態における全体を示す側面図である。
【図２】同  図１の脚座１０の詳細を示す断面図である。
【図３】同  収納式椅子の斜視図である。
【図４】同  分解斜視図である。
【図５】同  収納式椅子の状態を示す図で、（ａ）は不使用時の収納状態、（ｂ）は使用するため背もたれを後傾させた状態、（ｃ）着席した使用状態、（ｄ）椅子の後方を人が通るため座を前へ移動させた状態、を示す。
【図６】同    図５に対応して前脚３および後脚４の状態を示す図で、（ａ）は不使用時の収納状態、（ｂ）は背もたれを後傾させた状態および着席した使用状態、（ｃ）椅子の後方を人が通るため座を前へ移動させた状態、を示す。
【図７】同  別の実施の形態を示す収納式椅子の前脚と後脚の骨格を示す側面図である。
【図８】従来の収納式椅子の作動状態を示す説明図である。
【図９】同  別の従来例の作動状態を示す説明図である。
【符号の説明】
１…座                                        ２…座受
２ａ…ストッパ                        ３…前脚
３ａ，３ｂ…軸                        ４…後脚
５…支持筒                              ５ａ…軸
５ｂ…摺動部材                        ６…ガススプリング
６ａ，６ｂ…ピン                    ７…取付部材
７ａ…揺動軸                            ７ｂ…下端部
７ｃ…当接部材            ８…背支柱
９…背もたれ                        １０…脚座
１０ａ…カバー            １１…ストッパ
１１ａ…当接面              １２…受け部材
１３…ゴム                                １４…底板
１５…取付穴
２０…固定部                            ２１…背もたれ支持部
２２…座受け                            ２３…補助リンク
２５…主リンク                        ２７…支持ブロック
２８…前脚                                ２９…後脚
３０…着座部
【図１】
2004230068.tif 000003
【図２】
2004230068.tif 000004
【図３】
2004230068.tif 000005
【図４】
2004230068.tif 000006
【図５】
2004230068.tif 000007
【図６】
2004230068.tif 000008
【図７】
2004230068.tif 000009
【図８】
2004230068.tif 000010
【図９】
2004230068.tif 000011